(57)【要約】【課題】記録用紙に形成される不具合画像を認識し、不具合画像の原因を判別する。【解決手段】セットされた原稿を読み取る画像読取部と、前記画像読取部で読み取った画像データに含まれる画像の処理を行う画像処理部と、を備え、前記画像処理部が、前記画像データに含まれる不具合画像を識別し、前記不具合画像が単色のインク又はトナーで形成されているか、又は、複数色のインク又はトナーで形成されているかを判別することを特徴とする。【選択図】図６
2018121219.tif 000002
【特許請求の範囲】
【請求項１】
セットされた原稿を読み取る画像読取部と、
前記画像読取部で読み取った画像データに含まれる画像の処理を行う画像処理部と、を備え、
前記画像処理部が、前記画像データに含まれる正規画像以外の不具合画像を識別し、前記不具合画像が単色のインク又はトナーで形成されているか、又は、複数色のインク又はトナーで形成されているかを判別することを特徴とする画像読取装置。
【請求項２】
前記画像処理部から前記不具合画像の判別結果を受信して前記不具合画像の判別結果を表示する表示部を備えた請求項１に記載の画像読取装置。
【請求項３】
前記画像処理部は、前記画像データの予め決められた領域の外側に配されている画像を前記不具合画像と識別する請求項１又は請求項２に記載の画像読取装置。
【請求項４】
ユーザーによる操作を受け付ける操作部をさらに備え、
ユーザーによる前記操作部の操作によって前記画像データにおける選択領域が選択され、
前記画像処理部は、前記選択領域内の画像から不具合画像を識別する請求項１又は請求項２に記載の画像読取装置。
【請求項５】
外部機器と接続するための接続部をさらに含んでおり、
前記画像処理部は、不具合画像の判別結果を接続部に接続された外部機器に送信する請求項１から請求項４のいずれかに記載の画像読取装置。
【請求項６】
前記画像処理部は、前記不具合画像の判別結果に基づいて、前記画像読取部で画像を読み取った原稿に画像を形成した画像形成装置の不具合箇所を判断する請求項１から請求項５のいずれかに記載の画像読取装置。
【請求項７】
請求項１から請求項４のいずれかに記載の画像読取装置と、
前記画像データに基づいた画像を記録用紙に形成する画像形成部と、
前記画像読取装置及び前記画像形成部を統括制御する制御部と、を備えた画像形成装置。
【請求項８】
前記画像処理部が、前記画像形成部で画像が形成された記録用紙を原稿として前記画像読取部で読み取った画像データの不具合画像を識別するとともに、前記不具合画像の判別を行い、判別結果を前記制御部に送信し、
前記制御部が、前記不具合画像の判別結果に基づいて前記画像形成部の不具合箇所を判断する請求項７に記載の画像形成装置。
【請求項９】
前記画像形成部が、複数色のトナー像を重ね合わせてカラー画像を形成するカラー画像形成部であり、
前記重ね合わせられる色毎のトナー像を現像する複数のトナー像形成ユニットと、
前記複数の現像器で形成された各色のトナー像が一時的に転写される中間転写部と、
前記中間転写部から前記記録用紙にトナー像を転写した後に前記中間転写部に残ったトナーを除去する清掃部とを備えており、
前記画像処理部から送信される判別結果が単色の場合には、当該色の情報も含まれており、
前記制御部は、前記不具合画像が単色のトナーで形成されている場合に当該色と対応するトナー像を現像するトナー像形成ユニットの不具合と判断し、前記不具合画像が複数色のトナーで形成されている場合に前記中間転写部又は前記清掃部の少なくとも一方の不具合と判断する請求項８に記載の画像形成装置。
【請求項１０】
前記画像形成部が、複数色のインクを重ねて吹き付けることでカラー画像を形成するカラー画像形成部であり、
前記重ね合わせられる色毎のインクを噴出する複数のヘッド部と、
前記記録用紙を前記ヘッド部に対して相対的に搬送する搬送ベルトと、を備えており、
前記画像処理部から送信される判別結果が単色の場合には、当該色の情報も含まれており、
前記制御部は、前記不具合画像が単色のインクで形成されている場合に当該色と対応するインクを噴出するヘッド部の不具合と判断し、前記不具合画像が複数色のインクで形成されている場合に少なくとも前記搬送ベルトの不具合と判断する請求項８に記載の画像形成装置。
【請求項１１】
情報を通知する通知部をさらに備え、
前記制御部は、判断した不具合箇所の情報を通知部に送る請求項８から請求項１０のいずれかに記載の画像形成装置。
【請求項１２】
前記通知部は、外部通信装置と通信するための通信部を含み、
前記制御部は、前記通信部を介して通信可能な前記外部通信装置に前記不具合箇所の情報を送信する請求項８から請求項１１のいずれかに記載の画像形成装置。
【発明の詳細な説明】
【技術分野】
【０００１】
本発明は、原稿を読み取る画像読取装置及び画像読取装置を備えた画像形成装置に関する。
【背景技術】
【０００２】
画像形成装置では、長期間の使用等によって、現像剤が劣化し、記録用紙の非画像部を汚す、いわゆる、地汚れが発生する。例えば、特許文献１の画像形成装置では、非画像部の濃度を検出し、検出結果に基づいて所定幅の地汚れの有無を検出する所定幅地汚れ有無検知手段を備えているものが開示されている。
【先行技術文献】
【特許文献】
【０００３】
【特許文献１】特開平１０−９７１１０号公報
【発明の概要】
【発明が解決しようとする課題】
【０００４】
しかしながら、特許文献１の画像形成装置では、非画像部の濃度を検出しているだけであるので、どの色の現像剤による不具合であるのか特定が困難である。また、非画像部の濃度を検知する構成であるため、画像が形成されている部分で発生する汚れや画像の劣化等を検知することは困難である。
【０００５】
本発明は、上記従来技術の問題点に鑑み、記録用紙に形成される不具合画像を認識し、不具合画像の原因を判別できる画像読取装置を提供することを目的とする。
【課題を解決するための手段】
【０００６】
上記目的を達成するために、請求項１に係る画像読取装置は、セットされた原稿を読み取る画像読取部と、前記画像読取部で読み取った画像データに含まれる画像の処理を行う画像処理部と、を備え、前記画像処理部が、前記画像データに含まれる正規画像以外の不具合画像を識別し、前記不具合画像が単色のインク又はトナーで形成されているか、又は、複数色のインク又はトナーで形成されているかを判別することを特徴とする。
【発明の効果】
【０００７】
本発明によれば、記録用紙に形成される不具合画像を認識し、不具合画像の原因を判別できる画像読取装置を提供することができる。
【図面の簡単な説明】
【０００８】
【図１】本発明にかかる画像読取装置を含む複合機の主要構成を示す機能ブロック図である。
【図２】図１に示す複合機の一例の概略構成を示す図である。
【図３】画像形成部の概略構成を示す図である。
【図４】画像読取装置の主要構成を示す機能ブロック図である。
【図５】画像読取装置で読み取った原稿の画像データである。
【図６】複合機の不具合箇所の判別手順を示すフローチャートである。
【図７】本実施形態に係る複合機を操作するときに表示パネルに表示される設定画面を示す図である。
【図８】図８は、不具合を判別する動作モードで複合機を動作させるときの表示パネルに表示される設定画面を示す図である。
【図９】インクジェット方式の画像形成部の概略構成を示す図である。
【発明を実施するための形態】
【０００９】
以下、図面を参照して、画像形成装置として複合機１００を例に挙げ、本発明の実施形態を説明する。本実施の形態に記載されている構成、配置等の各要素は、発明の範囲を限定せず、単なる説明例にすぎない。
【００１０】
（第１実施形態）
図１は本発明にかかる画像読取装置を含む複合機の主要構成を示す機能ブロック図である。図２は図１に示す複合機の一例の概略構成を示す図である。なお、以下の説明では、図２に示す複合機１００を基準として上下を定義する。また、前方（正面側）又は後方（背面側）については、図２に示す複合機１００を基準として紙面手前側を前方（正面側）、紙面奥側を後方（背面側）と定義する。
【００１１】
（複合機１００）
複合機１００は、例えば、コピー機能、プリンター機能、スキャナー機能及びＦＡＸ機能等の複数の機能を兼ね備えた複合機である。
【００１２】
図１、図２に示すように、複合機１００には、画像読取装置２００が設けられている。そして、複合機１００は、主制御部１、印刷部２、記憶部３を備える。また、複合機１００は、操作パネル６と、通信部７と、を含む。
【００１３】
主制御部１は、複合機１００の全体制御を司る。主制御部１は、ＣＰＵ１１を含む。記憶部３は、制御に関するプログラムやデータを記憶する。記憶部３は、ＲＯＭ、ＨＤＤやフラッシュＲＯＭのような不揮発性メモリーとＲＡＭのような揮発性のメモリーを含む。主制御部１は、記憶部３のプログラムやデータを利用して各部を制御する。主制御部１は、コピーや送信のようなジョブのときに行われるスキャン、印刷、送信、画像データの記憶等を制御する。
【００１４】
（印刷部２）
印刷部２は、給紙部２ａ、搬送部２ｂ、画像形成部２ｃ、定着部２ｄ及び用紙排出部２ｅを含む。給紙部２ａは、用紙を供給する。搬送部２ｂは、用紙を搬送し、印刷済み用紙を機外に排出する。画像形成部２ｃは、画像データに基づきトナー像を形成し、搬送される用紙にトナー像を転写する。定着部２ｄは、転写されたトナー像を用紙に定着させる。主制御部１は印刷部２の動作を制御する。
【００１５】
図２に示すように、給紙部２ａは、複数の給紙カセット２１を備える。複数の給紙カセット２１には用紙が収容されている。複数の給紙カセット２１のそれぞれに収容された用紙は、互いに大きさ又は方向の少なくとも一方が異なる。主制御部１は、ユーザーの指示に基づいて用紙の適切な大きさ、方向等を選択する。そして、適切な用紙が収容された給紙カセット２１を選択する。そして、給紙部２ａは、主制御部１からの指示に従って、選択された給紙カセット２１から用紙を繰り出す。
【００１６】
図２に示すように、印刷部２と画像読取装置２００との間に設けられた隙間に配される排出トレイ２２を備えており、定着部２ｄで画像が定着された用紙は、用紙排出部２ｅによって、排出トレイ２２に排出される。
【００１７】
（画像形成部２ｃ）
図３は、画像形成部の概略構成を示す図である。図３に示すように、画像形成部２ｃは、複数のトナー像形成ユニット２３（ブラック用の２３Ｋ、イエロー用の２３Ｙ、シアン用の２３Ｃ、マゼンタ用の２３Ｍ）と、中間転写ベルト２４と、複数の１次転写ローラー２５Ｋ、２５Ｙ、２５Ｃ、２５Ｍと、駆動ローラー２６と、従動ローラー２７と、２次転写ローラー２８と、清掃部２９とを備える。
【００１８】
トナー像形成ユニット２３Ｋ〜２３Ｍは、感光体２３１及び現像部２３２等を備える。トナー像形成ユニット２３は、不図示の露光装置によって感光体２３１に静電潜像を形成した後、現像部２３２で感光体２３１にトナーを供給してトナー像を形成する。そして、１次転写ローラー２５Ｋ〜２５Ｍに転写用電圧を印加することで、中間転写ベルト２４に１次転写トナー像が転写される。
【００１９】
中間転写ベルト２４は、駆動ローラー２６等に張架され、モーター等の駆動機構（不図示）に接続される駆動ローラー２６の回転駆動により周回する。駆動ローラー２６と２次転写ローラー２８とは中間転写ベルト２４を挟み込む。中間転写ベルト２４と二次転写ローラー２８とが接触するニップ部に用紙が送られ、中間転写ベルト２４の１次転写トナー像が用紙に転写される。なお、画像形成部２ｃでは、各トナー像形成ユニット２３（ブラック用の２３Ｋ、イエロー用の２３Ｙ、シアン用の２３Ｃ、マゼンタ用の２３Ｍ）それぞれの感光体２３１にそれぞれ対応する色のトナー像を形成し、各トナー像を中間転写ベルト２４に重ねて転写することで、カラーの１次転写トナー像を形成している。
【００２０】
（操作パネル６）
操作パネル６は、表示パネル６１、タッチパネル６２、ハードキー６３を含む。タッチパネル６２は、ユーザーのタッチ位置を検知するためのものである。主制御部１は、タッチパネル６２の出力に基づき、表示パネル６１に表示されたキーやボタンのような操作画像のうち、操作されたものを認識する。ハードキー６３は、ジョブの実行開始を指示するためのスタートキーや、数字を入力するためのテンキーを含む。主制御部１は、操作パネル６の状態や各種メッセージや設定用画面を表示パネル６１に表示させる。また、操作パネル６は、スキャンやコピーのようなジョブに関し、タッチパネル６２、ハードキー６３に対する設定操作を受け付ける。なお、詳細は後述するが、画像読取装置２００が接続されている場合は、操作パネル６で画像読取装置２００の設定、操作を可能としてもよい。
【００２１】
（通信部７）
通信部７は、ＰＣのようなコンピューター３００、サーバー４００及びＦＡＸ装置５００等と、有線及び（又は）無線ネットワーク、公衆回線等を介して通信可能に接続される。また、これら以外の機器であって、画像データのやり取りを行う機器が接続される場合もある。
【００２２】
図２に示すように、画像読取装置２００は箱形の筐体（原稿台）を有し、複合機１００において、印刷部２の上方に配置される。
【００２３】
（画像読取装置２００）
画像読取装置２００の詳細について、新たな図面を参照して説明する。図４は、画像読取装置の主要構成を示す機能ブロック図である。図４に示すように、画像読取装置２００は、画像読取部４と、原稿搬送部５と、読取制御部８と、を有する。読取制御部８は、画像読取部４及び原稿搬送部５の動作を制御する。
【００２４】
（画像読取部４）
画像読取部４は、主制御部１の制御に基づいて、画像読取部筐体の上面に装着された、原稿の画像を読み取り、画像データを生成する。図２に示すように、画像読取部４は、原稿を載置するためのコンタクトガラス４１（原稿台）を備えている。画像読取部４は、さらに、コンタクトガラス４１に載置された原稿を押える開閉自在の原稿押えカバー４２と、コンタクトガラス４１に載置された原稿又はコンタクトガラス４１へ搬送される原稿の各画像を読み取る読取機構４３とを備えている。
【００２５】
読取機構４３は、コンタクトガラス４１にセットされた原稿又は搬送された原稿に対して光を照射し、その反射光を受光素子（不図示）で受光することで、原稿に画像を読み取り、画像データとして出力する。画像データは、読取制御部８に送信される。
【００２６】
（原稿搬送部５）
原稿搬送部５は、読取制御部８の制御に基づいて、原稿を画像読取部４のコンタクトガラス４１に搬送する。原稿搬送部５は、原稿が載置される原稿載置台５１と、画像読み取り済みの原稿が排出される原稿排出部５２と、原稿搬送機構５３と、を備える（図２参照）。原稿搬送機構５３は、図略の給紙ローラー及び搬送ローラー等を備える。原稿搬送機構５３は、給紙ローラー及び搬送ローラーの駆動により、原稿載置台５１に載置された原稿を１枚ずつ繰り出してコンタクトガラス４１へ搬送する。コンタクトガラス４１に搬送された原稿は読取機構４３によって読み取られた後、原稿排出部５２に排出される。
【００２７】
さらに原稿搬送部５は、図２の紙面奥側にヒンジ（不図示）を備えている。原稿搬送部５は、ヒンジを中心として前方がコンタクトガラス４１に対して接近又は離間するように回動する。原稿搬送部５の前方側を上方に移動させてコンタクトガラス４１上面を開放することにより、コンタクトガラス４１の上面に原稿をユーザーが載置できるようになっている。また、コンタクトガラス４１の上面に原稿を載置した状態で、原稿搬送部５の前方をコンタクトガラス４１に接近させる。これにより、原稿をコンタクトガラス４１に押し付けることができ、画像読取部４は正確に原稿を読み取ることができる。
【００２８】
複合機１００では、原稿搬送部５により搬送された原稿又はコンタクトガラス４１に載置された原稿を画像読取部４が光学的に読み取り、画像データを生成する。
【００２９】
（画像処理部８１）
読取制御部８には、画像処理部８１が備えられている。画像処理部８１は、読み取った画像の処理を行う。画像読取装置２００において、画像処理部８１は、原稿の画像が複数のトナーで形成されているか、単色のトナーで形成されているか判別できる。さらに、画像処理部８１は、原稿の画像が単色のトナーで形成されていると判別した場合、そのトナーの種類の判別も行う。なお、複数色のトナーで形成されている場合に、トナーの種類及びその量の割合を判別できるようにしてもよい。
【００３０】
（複合機１００の不具合の判別について）
複合機１００において、印刷部２に不具合が発生している場合、画像を印刷した用紙に印刷対象の画像（正規画像或いは原画像とする）以外の画像（不具合画像）が形成される場合がある。印刷後の用紙に不具合画像が形成されている場合、複合機１００のユーザーは、複合機１００の内部に不具合があると判断する。本実施形態の複合機１００では、画像を印刷した後の用紙の不具合画像を識別して、その不具合から複合機１００の不具合箇所を判断する。以下に複合機１００による不具合箇所の判断方法について図面を参照して説明する。
【００３１】
例えば、ユーザーは、印刷部２で印刷された画像に不具合画像があると判断した場合、又は、定期的なチェックをする場合に、印刷部２で印刷された画像を原稿として画像読取装置２００で読み取る。
【００３２】
図５は、画像読取装置で読み取った原稿の画像データである。画像データＤｇには、本来形成される画像Ｐｔ（原画像Ｐｔとする）と、原画像Ｐｔとは異なる画像Ｐｓ（不具合画像Ｐｓとする）とが形成されているとする。図５に示すように、原画像Ｐｔは、画像データＤｇの中央領域Ｒ１に配されており、不具合画像Ｐｓは、中央領域Ｒ１の外側の辺縁領域Ｒ２に形成されている。換言すると、画像データＤｇの辺縁領域Ｒ２にある画像が、不具合画像といえる。なお、本実施形態において、画像データＤｇの中央領域Ｒ１及び辺縁領域Ｒ２は、予め決められており、画像処理部８１は、中央領域Ｒ１及び辺縁領域Ｒ２の情報を備えているものとする。
【００３３】
複合機１００において、主制御部１は、画像読取装置２００の画像処理部８１から不具合画像の判別結果を取得して、複合機１００、すなわち、印刷部２の不具合を判別する。例えば、不具合画像Ｐｓが単色トナーで形成されている場合、主制御部１は、不具合画像Ｐｓが形成されている色のトナー像を形成するトナー像形成ユニットの不具合であると判断する。一方、不具合画像Ｐｓが複数色のトナーで形成されている場合、中間転写ベルト２４又は清掃部２９に不具合がある又はトナーが付着していると判断する。
【００３４】
次に、主制御部１が、複合機１００の不具合箇所の検出の手順を図面を参照して説明する。図６は、複合機の不具合箇所の判別手順を示すフローチャートである。図６に示すように、まず、画像形成装置２００の画像読取部４で原稿を読み取る（ステップＳ１０１）。なお、原稿の読み取りは、コンタクトガラス４１にセットした原稿を読み取ってもよいし、原稿搬送部５で搬送された原稿を読み取ってもよい。画像処理部８１は、原稿を画像読取部４で読み取った画像データＤｇに不具合画像Ｐｓが含まれているか否か判別する（ステップＳ１０２）。なお、画像処理部８１は、画像データＤｇの辺縁領域Ｒ２に画像が含まれているか否か判断する。そして、辺縁領域Ｒ２に画像が含まれている場合に、画像処理部８１は原稿に不具合画像Ｐｓが含まれていると判断する。
【００３５】
不具合画像Ｐｓが含まれていない場合（ステップＳ１０２でＮｏの場合）、画像処理部８１は、原稿に不具合が無いと判断して、不具合画像が無いことを主制御部１に送信する（ステップＳ１０３）。主制御部１は、印刷部２に不具合が無いと判断し（ステップＳ１０４）、不具合の判別を終了する。
【００３６】
画像処理部８１が、原稿に含まれる不具合画像Ｐｓを識別した場合（ステップＳ１０２でＹｅｓの場合）、画像処理部８１は、不具合画像Ｐｓが複数色のトナーで形成されているか否かを判別する（ステップＳ１０５）。
【００３７】
不具合画像Ｐｓが複数色のトナーで形成されている場合（ステップＳ１０５でＹｅｓの場合）、画像処理部８１は、不具合画像Ｐｓが複数色のトナーで形成されていると判別し、その結果を主制御部１に送信する（ステップＳ１０６）。主制御部１は、不具合画像が複数色のトナーで形成されているとの判別結果に基づいて、中間転写ベルト２４又は清掃部２９が不具合箇所と判断する（ステップＳ１０７）。そして、主制御部１は、表示パネル６１に不具合箇所を表示することで通知を行う（ステップＳ１０８）。なお、不具合箇所を文字で表示してもよいし、不具合箇所を画像で示してもよい。
【００３８】
また、不具合画像Ｐｓが単色のトナーで形成されている場合（ステップＳ１０５でＮｏの場合）、画像処理部８１は、不具合画像Ｐｓが単色のトナーで形成されていると判別する（ステップＳ１０９）。そして、画像処理部８１は、不具合画像Ｐｓを構成しているトナーの色を特定する（ステップＳ１１０）。そして、画像処理部８１は、主制御部１に、不具合画像Ｐｓが単色トナーで形成されていること及びその単色トナーの色の情報を主制御部１に送信する（ステップＳ１１１）。
【００３９】
主制御部１は、画像処理部８１から不具合画像Ｐｓが単色トナーで形成されていることさらにそのトナーの色の情報から不具合画像Ｐｓを形成する単色トナーのトナー像を形成するトナー像形成ユニットが不具合箇所と判断する（ステップＳ１１２）。例えば、不具合画像Ｐｓが、マゼンタのトナーで形成された像であるとの情報を得た場合、主制御部１は、マゼンタ用のトナー像形成ユニット２３Ｍに不具合があると判断する。そして、主制御部１は、表示パネル６１に不具合箇所を表示することで通知を行う（ステップＳ１１３）。なお、不具合箇所を文字で表示してもよいし、不具合箇所を画像で示してもよい。
【００４０】
以上のようにして、画像読取装置２００は、読み取った原稿に不具合画像Ｐｓが含まれるか否か識別するとともに、不具合画像Ｐｓが複数色のトナーで形成されているか、単色のトナーで形成されているか判別することができる。そして、複合機１００では、画像を印刷した用紙を画像読取装置２００で読み取りを行うことで、複合機１００の印刷部２の不具合箇所及び（又は）原因の特定が可能である。複合機１００に何らかの不具合が発生している場合に、複合機１００に対する高度の知識を有していない、例えば、ユーザーであっても、印刷部２の不具合箇所の特定が可能である。これにより、ユーザーが複合機１００のメンテナンスを業者に依頼する場合に、作業者に予め不具合箇所を通知することができ、メンテナンスの手間及び時間を省くことが可能である。
【００４１】
（変形例）
上述した不具合画像の判別において、画像処理部８１は、不具合画像が黒で形成されていると判断する場合がある。このとき、画像処理部８１は、黒色のトナーで形成されていると判断する。一方で、画像読取部４で読み取った画像データを画像処理部８１で処理した場合には、黒の画像であっても、赤色の成分を多く含む黒や、青色の成分を多く含む黒等、黒色のトナーとは異なる成分として検知される場合がある。このような場合、画像処理部８１は、黒色の不具合画像と判断した場合でも、さらに詳しく画像処理を施すことで、イエロー、シアン、マゼンタの少なくとも一つが混じっている、すなわち、複数の色トナーで形成された画像と判断する。すなわち、画像処理部８１は、単色のトナーで形成されていると判断した場合において、黒の単色と判断した場合には、さらに詳細な画像処理を行って、不具合画像を構成するトナーの色の判別を行うようにしてもよい。このようにすることで、不具合画像の判別の精度を高めることができる。そして、不具合画像の判別の精度を高めることで、複合機の不具合箇所の判別精度を高めることが可能である。
【００４２】
（第２実施形態）
本発明にかかる複合機の他の例について図面を参照して説明する。図７は、本実施形態に係る複合機を操作するときに表示パネルに表示される設定画面を示す図である。図８は、不具合を判別する動作モードで複合機を動作させるときの表示パネルに表示される設定画面を示す図である。なお、本実施形態の複合機１００は、不具合箇所の判別の工程が異なるが、構成は、第１実施形態の複合機１００の構成と同じであり、実質上同じ部分には、同じ符号を付すとともに同じ部分の詳細な説明は省略する。
【００４３】
図７に示すように、複合機１００では、表示パネル６１に設定画面６４が表示される。設定画面６４には、複合機１００で実施可能な機能が表示される機能表示部６４１と、ＯＫキーＫ１と、キャンセルキーＫ２とを備える。また、機能表示部６４１には、例えば、コピーモード６４２、ＦＡＸモード６４３、メール送信モード６４４、不具合判別モード６４５等の動作モードを選択するキーが含まれる。
【００４４】
そして、ユーザーによって、不具合判別モード６４５が選択された後に、ＯＫキーＫ１が操作されると、複合機１００は、不具合判別モードになる。そして、表示パネル６２には、不具合判別用設定画面６５が表示される。
【００４５】
図８に示す不具合判別用設定画面６５には、指示メッセージ６５１と、不具合位置指定画像６５２と、自動識別キー６５３と、読取開始キー６５４と、を含む。また、ＯＫキーＫ１及びキャンセルキーＫ２も含んでいる。指示メッセージ６５１は、ユーザーが実行する操作のメッセージを表示する。なお、不具合判別用設定画面６５では、指示メッセージ６５１として、「不具合画像の位置を指定してください」との文字列を表示する。
【００４６】
上述のとおり、ユーザーは、画像が印刷された用紙に不具合があると判断した場合に、不具合判別モードを利用して、不具合の判別を行う。そのため、ユーザーは、画像読取装置２００で読み取った原稿における不具合画像の位置を認識している。そのため、ユーザーは、タッチパネル６１を利用して、不具合画像の位置を入力することができる。そこで、不具合位置指定画像６５２は、画像読取装置２００で読み取る原稿と同様の形状を有している。そして、不具合位置指定画像６５２の一部に触れることで、用紙内における不具合画像の位置を指定することが可能である。なお、不具合位置指定画像６５２を複数の領域に分割して、その分割した領域を選択するようにいてもよい。これにより、ユーザーが不具合画像の位置を簡単に指定できる。
【００４７】
また、自動識別キー６５３は、第１実施形態のように、用紙の予め決められた位置（辺縁領域）に不具合画像が表示されるものとして、不具合画像の識別及び判別を行う。そして、読取開始キー６５４は、原稿の読み取り準備が完了したときに操作されるキーである。そして、読取開始キー６５４を操作した後、ＯＫキーＫ１を操作することで、不具合判別モードが開始されて、原稿の読み取りを開始する。また、キャンセルキーＫ２が操作されることで、不具合判別モードを終了する。
【００４８】
なお、原稿の読み取りが終了した後、主制御部１は、表示パネル６１に不具合箇所の情報を表示する。
【００４９】
以上示したように、不具合画像の箇所をユーザーが指定可能とすることで、印刷部２で画像を印刷した用紙の原画像が形成されている部分に、不具合画像が印刷されている場合でも、不具合画像を識別することが可能である。これにより、複合機１００の不具合箇所の判別の精度を高めることが可能である。
【００５０】
（第３実施形態）
本発明にかかる複合機のさらに他の例について説明する。第１実施形態及び第２実施形態において、複合機１００の主制御部１は、印刷部２で印刷した用紙を画像読取装置２００で読み取って、その結果から、印刷部２の不具合箇所を判断する。そして、主制御部１は、その不具合箇所を表示パネル６１に表示する。本実施形態の複合機１００では、第１実施形態及び第２実施形態の表示パネル６１への不具合箇所を表示する機能に加えて、通信部７を介して接続されているコンピューター３００、サーバー４００等の外部機器に送信してもよい。
【００５１】
本実施形態の複合機１００において、通信部７と接続する外部機器を、メーカーや保守管理会社の不具合連絡用の機器（コンピューターやサーバー）としておくことで、定期的或いはユーザーの判断によって、不具合判別モードで印刷部２の不具合箇所の情報を通知するため、複合機１００のメンテナンスや修理を迅速に行うことができる。なお、外部機器への直接接続が困難な場合には、メール等で情報を送信するようにしてもよい。また、不具合箇所の情報を送信するときに、画像読取装置２００で読み取った画像データを貼付するようにしてもよい。画像データを貼付することで、複合機１００の画像処理部８１よりもさらに詳細な処理を施すことも可能である。これにより、より詳細な不具合箇所、不具合の原因等をメーカーや保守管理を行う作業者が認識できる。いじょうのことから、作業者が不具合箇所の正確な情報を取得できるため、メンテナンスや修理に要する手間と時間を省くことが可能である。
【００５２】
（第４実施形態）
本発明の不具合判別方法は、電子写真方式の画像形成部２ｃだけでなく、インクを用紙に吹き付けて画像を形成（印刷）するインクジェット方式の画像形成部を用いた印刷部にも適用可能である。以下に、インクジェット方式の印刷部について図面を参照して説明する。図９は、インクジェット方式の画像形成部の概略構成を示す図である。なお、本実施形態の複合機１００の印刷部２の画像形成部９以外の構成については、第１実施形態等の複合機１００の構成と同じであり、実質上同じ部分には同じ符号を付すとともに、同じ部分の詳細な説明は省略する。
【００５３】
図９に示すように、画像形成部９は、駆動ローラー９１と、従動ローラー９２と、搬送ベルト９３と、ヘッド部９４とを備える。
【００５４】
駆動ローラー９１は、モーター（不図示）の駆動力を受けて回転する。従動ローラー９２は、駆動ローラー９１と軸線が平行となるように設けられている。搬送ベルト２３は、駆動ローラー９１と従動ローラー９２に張架された無端ベルトである。搬送ベルト９３は駆動ローラー９１の回転により周回する。これにより、搬送ベルト９３上の用紙は図９の矢印Ｘの方向に搬送される、すなわち、矢印Ｘで示される方向は、用紙の搬送方向である。
【００５５】
ヘッド部９４は、搬送ベルト９３の上方に配される。ヘッド部９４は、用紙搬送方向上流側からシアンのインクを吐出するヘッド部９４Ｃ、マゼンタのインクを吐出するヘッド部９４Ｍ、イエローのインクを吐出するヘッド部９４Ｙ、ブラックのインクを吐出するヘッド部９４Ｋが順に並べて設けられる。これらのヘッド部９４Ｃ、９４Ｍ、９４Ｙ、９４Ｋには、それぞれ異なる４色（シアン、 マゼンタ、イエロー及びブラック）のインクが充填される。そして、各ヘッド部９４Ｃ、９４Ｍ、９４Ｙ、９４Ｋからそれぞれの色のインクが吐出され、用紙上にカラー画像が記録される（印刷される）。なお、以下では色を示す符号（Ｃ、Ｍ、Ｙ、Ｋ）を省略し、単にヘッド部９４と称することがある。
【００５６】
次に、本実施形態の複合機の不具合判別について説明する。インクジェット方式の画像形成部９では、ヘッド部９４から用紙に向かってインクを吹き付ける。そして、インクを吹き付ける場合に、用紙がずれていたり、用紙が供給されてなかったりすると、ヘッド部９４から吹き付けられたインクが搬送ベルト９３を汚す。上述のとおり、ヘッド部９４は、複数の色のインクを吹き付けるため、汚れは複数色のインクが混じる。そして、インクで汚れた搬送ベルト９３で用紙が搬送されると、用紙がインクで汚れる。また、ヘッド部９４の不具合によって、インクが過剰に供給される場合がある。このような場合には、用紙の本来、画像を形成する領域ではない部分に、インクが付着することが多い。そして、このインクの付着が不具合画像となる。
【００５７】
すなわち、上述の実施形態のように、画像が印刷された用紙を画像読取装置２００で読み取った結果から、画像処理部８１が読み取った画像に複数色のインクで形成された不具合画像を含むと判別した場合、主制御部１は、搬送ベルト９３の不具合と判断する。一方、画像処理部８１が読み取った画像に単色のインクで形成された不具合画像を含むと判断した場合、主制御部１は、不具合画像を形成しているインクの色のヘッド部９４の不具合と判断する。
【００５８】
このように、インクジェット方式の画像形成部９を備えた複合機１００でも主制御部１は、画像読取部４で読み取った原画像から印刷部の不具合を判断することができる。
【００５９】
（第５実施形態）
上述の第１実施形態〜第４実施形態は、画像読取装置２００が複合機１００と一体で動作するものとしていた。しかしながら、画像読取装置２００だけで、動作するようにしてもよい。この場合、画像読取装置２００に、操作部、表示部（いずれも不図示）等を備えていてもよいし、通信によって外部の機器から操作したり、外部の機器に表示したりするものであってもよい。
【００６０】
例えば、画像読取装置２００とは接続されていない画像形成装置で画像が形成された原稿を読み取り、不具合画像の識別及び不具合の判別を行うことで、画像形成装置の不具合を判断することが可能である。また、このとき、不具合画像の不具合の判別結果から、画像形成装置の不具合箇所の判断を行うようにしてもよい。画像形成装置の不具合箇所の判断は、上述したものと同じであるため、詳細は省略する。
【００６１】
本発明にかかる画像読取装置の一例は、セットされた原稿を読み取る画像読取部と、前記画像読取部で読み取った画像データに含まれる画像の処理を行う画像処理部と、を備え、前記画像処理部が、前記画像データに含まれる不具合画像を識別し、単色のインク又はトナーで形成されているか、又は、前記不具合画像の色が複数色のインク又はトナーで形成されているかを判別することを特徴とする。
【００６２】
このようにすることで、画像が印刷された用紙に、印刷対象である正規画像以外の不具合画像を識別するとともに、不具合画像が、単色のインク又はトナーで形成されているか、複数色のインク又はトナーで形成されているか判別することで、不具合画像の原因を認識することが可能である。
【００６３】
特に、前記不具合画像が黒色の画像である場合において、画像処理部は、前記不具合画像の色が黒色のインク又はトナーで形成されているか、黒色以外の色を含んだ複数色のインク又はトナーで形成されているかを判別するようにしてもよい。インク又はトナーは複数色重ねられることで、黒に近づく。ユーザー或いは作業者の目視では、黒と判断した不具合画像でも、黒以外のインク又はトナーを重ねて形成されている場合もあり、不具合の原因を正確に認識することができる。
【００６４】
上記構成において、前記画像処理部から前記不具合画像の判別結果を受信して前記不具合画像の判別結果を表示する表示部を備えていてもよい。
【００６５】
上記構成において、前記画像処理部は、前記画像データの予め決められた領域の外側に配されている画像を前記不具合画像と識別するようにしてもよい。
【００６６】
上記構成において、ユーザーによる操作を受け付ける操作部をさらに備え、ユーザーによる前記操作部の操作によって前記画像データにおける選択領域が選択され、前記画像処理部は、前記選択領域内の画像から不具合画像を識別する。印刷された画像を視認したユーザーが、不具合画像を確認して、画像読取装置を用いて不具合画像の原因を確認する場合において不具合画像の場所を予めユーザーが選択することで、不具合画像の識別を容易かつ短時間に行うことができる。また、正規画像が形成されている部分における不具合画像も識別可能となるため、不具合画像の判別の精度を高めることができる。
【００６７】
上記構成において、外部機器と接続するための接続部をさらに含んでおり、前記画像処理部は、不具合画像の判別結果を接続部に接続された外部機器に送信してもよい。
【００６８】
上記構成において、上述の画像読取装置と、前記画像データに基づいた画像を記録用紙に形成する画像形成部と、前記画像読取装置及び前記画像形成部を統括制御する制御部と、を備えていてもよい。
【００６９】
上記構成において、前記画像処理部が、前記画像形成部で画像が形成された記録用紙を原稿として前記画像読取部で読み取った画像データの不具合画像を識別するとともに、前記不具合画像の判別を行い、判別結果を前記制御部に送信し、前記制御部が、前記不具合画像の判別結果に基づいて前記画像形成部の不具合箇所を判断してもよい。
【００７０】
上記構成において、前記画像形成部が、複数色のトナー像を重ね合わせてカラー画像を形成するカラー画像形成部であり、前記重ね合わせられる色毎のトナー像を現像する複数のトナー像形成ユニットと、前記複数の現像器で形成された各色のトナー像が一時的に転写される中間転写部と、前記中間転写部から前記記録用紙にトナー像を転写した後に前記中間転写部に残ったトナーを除去する清掃部とを備えており、前記画像処理部から送信される判別結果が単色の場合には、当該色の情報も含まれており、前記制御部は、前記不具合画像が単色のトナーで形成されている場合に当該色と対応するトナー像を現像するトナー像形成ユニットの不具合と判断し、前記不具合画像が単色のトナーで形成されている場合に前記中間転写部又は前記清掃部の少なくとも一方の不具合と判断するようにしてもよい。このようにすることで、画像形成装置に不具合がある場合でも、ユーザーは、画像形成装置の内部にアクセスすることなく、画像形成装置の不具合箇所を認識することができる。これにより、ユーザーは、汚れやけが等を負うことなく、不具合の情報を認識し、その情報を修理やメンテナンスを行う作業者に伝えることができる。また作業者も予め不具合の情報を取得しているため、作業の検討をつけることができ、迅速に修理又はメンテナンスを行うことができる。
【００７１】
上記構成において、前記画像形成部が、複数色のインクを重ねて吹き付けることでカラー画像を形成するカラー画像形成部であり、前記重ね合わせられる色毎のインクを噴出する複数のヘッド部と、前記記録用紙を前記ヘッド部に対して相対的に搬送する搬送ベルトと、を備えており、前記画像処理部から送信される判別結果が単色の場合には、当該色の情報も含まれており、前記制御部は、前記不具合画像が単色のインクで形成されている場合に当該色と対応するインクを噴出するヘッド部の不具合と判断し、前記不具合画像が複数色のインクで形成されている場合に少なくとも前記搬送ベルトの不具合と判断してもよい。このようにすることで、画像形成装置に不具合がある場合でも、ユーザーは、画像形成装置の内部にアクセスすることなく、画像形成装置の不具合箇所を認識することができる。これにより、ユーザーは、汚れやけが等を負うことなく、不具合の情報を認識し、その情報を修理やメンテナンスを行う作業者に伝えることができる。また作業者も予め不具合の情報を取得しているため、作業の検討をつけることができ、迅速に修理又はメンテナンスを行うことができる。
【００７２】
上記構成において、情報を通知する通知部をさらに備え、前記制御部は、判断した不具合箇所の情報を通知部に送るようにしてもよい。
【００７３】
上記構成において、前記通知部は、外部通信装置と通信するための通信部を含み、
前記制御部は、前記通信部を介して通信可能な前記外部通信装置に前記不具合箇所の情報を送信するようにしてもよい。このような構成とすることで、専門の作業者には認識できるが、一般ユーザーでは認識できない不具合が発生している可能性がある場合に、作業者が不具合を認知することができるため、早めの対応が可能となる。これにより、画像形成装置を長期間にわたり、良好な状態で使用することが可能である。
【００７４】
以上、本発明の実施形態を説明したが、本発明の範囲はこれに限定されず、発明の主旨を逸脱しない範囲で種々の変更を加えて実施することができる。
【産業上の利用可能性】
【００７５】
本発明は、シート束を綴じるシート処理装置やこれを備えた画像形成装置に利用可能である。
【符号の説明】
【００７６】
１００  複合機（画像形成装置）          １      制御部
２      印刷部                          ４      画像読取部
４１    コンタクトガラス                ４２    原稿押えカバー
４３    読取機構                        ５      原稿搬送部
５１    原稿載置台                      ５２    原稿排出部
５３    原稿搬送機構                    ６      操作パネル                  ６１    表示パネル                      ６２    タッチパネル
７      通信部                          ８      読取制御部
８１    画像処理部                      ２００  画像読取装置
【図１】
2018121219.tif 000003
【図２】
2018121219.tif 000004
【図３】
2018121219.tif 000005
【図４】
2018121219.tif 000006
【図５】
2018121219.tif 000007
【図６】
2018121219.tif 000008
【図７】
2018121219.tif 000009
【図８】
2018121219.tif 000010
【図９】
2018121219.tif 000011